(57)【要約】【課題】作業内容に応じて、ケースの開口を開閉するカバーの開口角度を設定することができる。【解決手段】プリンタ１０は、開口３０が形成されたケース２０と、開口３０を開閉自在に構成された中央カバー４０と、中央カバー４０およびケース２０に接続された支持アーム４７Ｌと、中央カバー４０に対して支持アーム４７Ｌをスライドさせるスライド機構５０とを備えている。ケース２０に対する中央カバー４０の開口角度が第１角度Ｒ１であるときの中央カバー４０の回転位置を第１開位置Ｐ２１、および、中央カバー４０の開口角度が第２角度Ｒ２であるときの中央カバー４０の回転位置を第２開位置Ｐ２２としたとき、スライド機構５０は、中央カバー４０が第１開位置Ｐ２１と第２開位置Ｐ２２との間を移動するときに、支持アーム４７Ｌをカバー４０に対してスライドさせるように構成されている。【選択図】図１２
2020151997.tif 000002
【特許請求の範囲】
【請求項１】
記録媒体が載置される載置部と、
前記載置部を覆い、開口が形成されたケースと、
前記ケースに設けられ、かつ、前記開口を開閉自在に構成されたカバーと、
前記ケースに対して前記カバーを回転させる回転軸と、
一端が前記カバーに接続され、他端が前記ケースに接続され、前記カバーを支持する支持アームと、
前記カバーに対して前記支持アームをスライドさせるスライド機構と、
を備え、
前記ケースに対する前記カバーの開口角度が第１角度であるときの前記カバーの回転位置を第１開位置、および、前記ケースに対する前記カバーの開口角度が前記第１角度よりも大きい第２角度であるときの前記カバーの回転位置を第２開位置としたとき、
前記スライド機構は、前記カバーが前記第１開位置と前記第２開位置との間を移動するときに、前記支持アームを前記カバーに対してスライドさせるように構成されている、プリンタ。
【請求項２】
前記カバーは、前記カバーにおける前記ケースの前記開口側の面に形成されたブラケットを有し、
前記支持アームは、
前記ブラケットにスライド可能なスライドアーム部と、
一端が前記スライドアーム部に対して回転可能に接続された第１アーム部と、
一端が前記第１アーム部の他端に対して回転可能に接続され、他端が前記カバーに対して回転可能に接続された第２アーム部と、
を有している、請求項１に記載されたプリンタ。
【請求項３】
前記カバーに対して前記支持アームがスライドする方向をスライド方向としたとき、
前記スライド機構は、
前記スライド方向に延びた係合孔が形成され、前記ブラケットに設けられた第１スライド部と、
前記スライドアーム部に設けられ、前記第１スライド部に対してスライド可能な第２スライド部と、
前記第２スライド部から前記第１スライド部に向かって突出し、前記係合孔に係合可能な係合突起と、
を有している、請求項２に記載されたプリンタ。
【請求項４】
前記係合突起は、前記第２スライド部に複数設けられている、請求項３に記載されたプリンタ。
【請求項５】
前記係合突起は、前記第２スライド部に取り付けられたネジである、請求項３または４に記載されたプリンタ。
【請求項６】
前記スライド機構は、前記係合突起が挿入されるセルスペーサを有している、請求項３から５までの何れか１つに記載されたプリンタ。
【請求項７】
前記第１スライド部における前記第２スライド部側の部分、および、前記第２スライド部における前記第１スライド部側の部分は、それぞれ金属によって形成され、
前記第１スライド部における前記第２スライド部側の部分と、前記第２スライド部における前記第１スライド部(51)側の部分とには、それぞれ樹脂によって形成された第１滑りシートが設けられている、請求項３から６までの何れか１つに記載されたプリンタ。
【請求項８】
前記第１スライド部は板状であり、
前記スライド機構は、前記第２スライド部と共に前記第１スライド部を挟むように前記第２スライド部と対向し、前記係合突起が連結する第３スライド部を有している、請求項３から７までの何れか１つに記載されたプリンタ。
【請求項９】
前記第１スライド部における前記第３スライド部側の部分、および、前記第３スライド部における前記第１スライド部側の部分は、それぞれ金属によって形成され、
前記第１スライド部における前記第３スライド部側の部分と、前記第３スライド部における前記第１スライド部側の部分とには、それぞれ樹脂によって形成された第２滑りシートが設けられている、請求項８に記載されたプリンタ。
【発明の詳細な説明】
【技術分野】
【０００１】
本発明は、プリンタに関する。
【背景技術】
【０００２】
例えば特許文献１には、主走査方向に延びるガイドレールと、ガイドレールに摺動自在に設けられたキャリッジと、キャリッジに搭載されたインクヘッドと、媒体が載置されるテーブルと、テーブルを副走査方向に移動させる移動機構とを備えたプリンタが開示されている。特許文献１に開示されたプリンタでは、インクヘッドは、主走査方向に移動しながらテーブルに載置された媒体にインクを吐出する。その後、テーブルに載置された媒体が移動機構によって副走査方向に移動する。以上のことを繰り返し行うことによって、媒体に所定の画像が印刷される。
【０００３】
また、特許文献１に開示されたプリンタでは、ガイドレール、キャリッジ、インクヘッド、テーブルおよび移動機構などの構成部材は、ケースに収容されている。ケースの内部にて印刷が行われる。そのため、ケースの外部からの光がケースによって遮られるため、インクが不必要に硬化し難くすることができる。また、ケースの外部の埃やゴミなどが印刷中の媒体に付着し難くすることができる。
【先行技術文献】
【特許文献】
【０００４】
【特許文献１】特開２０１３−１００４号公報
【発明の概要】
【発明が解決しようとする課題】
【０００５】
ところで、特許文献１に開示されたカバーが開いている状態が維持されているときの開口角度は、所定の１つの角度である。そのため、作業者がカバーを開けた状態でプリンタに関する作業を行う場合、どのような作業であっても、上記の開口角度の状態でカバーの姿勢を維持して作業が行われる。しかしながら、作業の内容によっては、上記の開口角度よりも角度が大きい状態でカバーの姿勢を維持して作業を行いたい場合があり得る。
【０００６】
本発明はかかる点に鑑みてなされたものであり、その目的は、作業内容に応じて、ケースの開口を開閉するカバーの開口角度を設定することが可能なプリンタを提供することである。
【課題を解決するための手段】
【０００７】
本発明に係るプリンタは、載置部と、ケースと、カバーと、回転軸と、支持アームと、スライド機構と、を備えている。前記載置部には、記録媒体が載置される。前記ケースは、前記載置部を覆い、開口が形成されている。前記カバーは、前記ケースに設けられ、かつ、前記開口を開閉自在に構成されている。前記回転軸は、前記ケースに対して前記カバーを回転させる。前記支持アームは、一端が前記カバーに接続され、他端が前記ケースに接続され、前記カバーを支持する。前記スライド機構は、前記カバーに対して前記支持アームをスライドさせる。前記ケースに対する前記カバーの開口角度が第１角度であるときの前記カバーの回転位置を第１開位置、および、前記ケースに対する前記カバーの開口角度が前記第１角度よりも大きい第２角度であるときの前記カバーの回転位置を第２開位置としたとき、前記スライド機構は、前記カバーが前記第１開位置と前記第２開位置との間を移動するときに、前記支持アームを前記カバーに対してスライドさせるように構成されている。
【０００８】
上記プリンタによれば、回転軸を軸にしてケースに対してカバーを回転させることで、第１開位置にカバーを配置することができる。そして、第１開位置にカバーが配置されている状態で、スライド機構によって支持アームをカバーに対してスライドさせることで、ケースに対するカバーの開口角度が大きくなり、第２開位置にカバーを配置することができる。このように、本発明では、第１開位置と第２開位置との２つの位置でカバーを開けた状態で維持することができる。よって、作業者の作業内容に応じて、ケースに対するカバーの開口角度を２段階で設定することができる。
【発明の効果】
【０００９】
本発明によれば、作業内容に応じて、ケースの開口を開閉するカバーの開口角度を設定することが可能なプリンタを提供することができる。
【図面の簡単な説明】
【００１０】
【図１】一実施形態に係るプリンタの斜視図である。
【図２】一実施形態に係るプリンタの内部構成を示す斜視図である。
【図３】一実施形態に係るプリンタの正面図である。
【図４】一実施形態に係るプリンタの左側面図である。
【図５】一実施形態に係るプリンタの右側面図である。
【図６】一実施形態に係るプリンタの背面図である。
【図７】一実施形態に係るプリンタの斜視図である。
【図８】一実施形態に係るプリンタの斜視図である。
【図９】ケースおよび中央カバーの正面図であり、中央カバーが開いている状態を示す図である。
【図１０】中央カバーの左側面図であり、回転機構の周囲を示す図である。
【図１１】中央カバーの左側面図であり、回転機構の周囲を示す図である。
【図１２】中央カバーの左側面図であり、回転機構の周囲を示す図である。
【図１３】スライド機構の周囲を示す左側面断面図である。
【図１４】スライド機構の周囲を示す左側面断面図である。
【図１５】第１スライド板を第２スライド板側から見た図である。
【図１６】第１スライド板を第２スライド板側から見た図である。
【図１７】一実施形態に係るプリンタの右側面図である。
【図１８】一実施形態に係るプリンタの右側面図である。
【発明を実施するための形態】
【００１１】
以下、図面を参照しながら、本発明に係るプリンタの実施形態について説明する。なお、ここで説明される実施形態は、当然ながら本発明を特に限定することを意図したものではない。また、同じ作用を奏する部材・部位には同じ符号を付し、重複する説明は適宜省略または簡略化する。
【００１２】
図１は、本実施形態に係るプリンタ１０の斜視図である。以下の説明では、作業者がプリンタ１０を正面から見たときに、作業者がプリンタ１０から遠ざかる方を前方、作業者がプリンタ１０に近づく方を後方とする。左、右、上、下とは、プリンタ１０を正面から見たときの左、右、上、下をそれぞれ意味するものとする。また、図面中の符号Ｆ、Ｒｒ、Ｌ、Ｒ、Ｕ、Ｄは、それぞれ前、後、左、右、上、下を意味するものとする。また、図面中の符号Ｙは主走査方向を示している。ここでは、主走査方向Ｙは左右方向である。図面中の符号Ｘは副走査方向を示している。ここでは、副走査方向Ｘは前後方向であり、平面視において主走査方向Ｙと直交している。ただし、上記方向は説明の便宜上定めた方向に過ぎず、プリンタ１０の設置態様を何ら限定するものではなく、本発明を何ら限定するものでもない。
【００１３】
プリンタ１０は、インクジェット式のプリンタである。プリンタ１０は、家庭用のプリンタと比較すると主走査方向Ｙに長い、いわゆる大型のプリンタである。例えば、プリンタ１０は業務用のプリンタである。図２は、プリンタ１０の内部構成を示す斜視図である。図２では、後述するケース２０が省略されている。本実施形態では、図２に示すように、プリンタ１０は記録媒体５上に画像を印刷する。
【００１４】
記録媒体５は、例えば記録紙である。ただし、記録媒体５は記録紙に限定されない。例えば、記録媒体５には、ＰＶＣ、ポリエステルなどの樹脂材料から形成されたシート、アルミや鉄などから形成された金属板、ガラス板、木材板などの比較的厚みを有するものが含まれる。
【００１５】
プリンタ１０は、ベース部２１と、ケース２０（図１参照）と、中央カバー４０（図１参照）と、ガイドレール１５と、インクヘッドユニット６０と、テーブルユニット８０と、操作パネル９０（図８参照）とを備えている。
【００１６】
ベース部２１は板状の部材であり、プリンタ１０の構成部品を支持するものである。ベース部２１の形状は、特に限定されないが、本実施形態では、平面視において矩形状の部材の前の左右両角を削ったような六角形形状である。ベース部２１には、内壁２２が設けられている。内壁２２は、ベース部２１から上方かつ主走査方向Ｙに延びている。内壁２２には、副走査方向Ｘに貫通する開口（図示せず）が形成されている。後述するテーブル８１は、内壁２２の上記開口を通過するように構成されている。
【００１７】
図２に示すように、ガイドレール１５は主走査方向Ｙに延びている。本実施形態では、ガイドレール１５は、内壁２２の前面に支持されており、テーブル８１よりも上方に配置されている。
【００１８】
インクヘッドユニット６０は、キャリッジ６２と、キャリッジケース６３と、インクヘッド６６とを備えている。キャリッジ６２は、ガイドレール１５に摺動自在に係合している。本実施形態では、プリンタ１０は、キャリッジ移動機構７０を備えており、キャリッジ移動機構７０は、キャリッジ６２を主走査方向Ｙに移動させる。キャリッジ移動機構７０は、左右のプーリ７１、７２と、無端状のベルト７３と、キャリッジモータ７４とを備えている。左側のプーリ７１は、ガイドレール１５の左端よりも左方に設けられている。右側のプーリ７２は、ガイドレール１５の右端よりも右方に設けられている。ベルト７３は、左右のプーリ７１、７２に巻き掛けられている。キャリッジ６２は、ベルト７３に取り付けられている。ここでは、右側のプーリ７２にキャリッジモータ７４が接続されている。キャリッジモータ７４が駆動して、右側のプーリ７２が回転することで、左右のプーリ７１、７２の間においてベルト７３が走行する。このベルト７３の走行に伴い、キャリッジ６２は主走査方向Ｙに移動する。
【００１９】
キャリッジケース６３は、キャリッジ６２に取り付けられている。インクヘッド６６は、その底面が下方に露出するようにキャリッジケース６３に収容されている。なお、インクヘッド６６の数は特に限定されない。ここでは、インクヘッド６６の数は、３つであるが、４つ以上であってもよい。図示は省略するが、インクヘッド６６の底面には、複数のノズルが形成されており、それらのノズルからインクが記録媒体５に向かって吐出される。ここで、インクヘッド６６から吐出されるインクは、いわゆる紫外線硬化インクである。紫外線硬化インクは、紫外線が照射されると硬化が促進されるインクである。インクヘッド６６は、キャリッジ６２の主走査方向Ｙへの移動に伴い、主走査方向Ｙに移動する。
【００２０】
テーブルユニット８０は、テーブル８１と、テーブル移動機構８５とを有している。テーブル８１には、記録媒体５が載置される。本実施形態では、テーブル８１の形状は、平面視において矩形状であるが、特に限定されない。テーブル８１は、ガイドレール１５より下方に配置され、かつ、インクヘッド６６より下方に配置されている。本実施形態では、テーブル８１の主走査方向Ｙの長さは、ガイドレール１５の主走査方向Ｙの長さよりも短い。ここでは、平面視においてガイドレール１５の右端部分は、テーブル８１から右方に突出している。なお、本実施形態では、テーブル８１は、本発明の「載置部」の一例である。テーブル８１は、テーブル移動機構８５によって副走査方向Ｘに移動可能に構成されている。
【００２１】
ここでは、テーブル移動機構８５は、テーブル８１を支持するキャリッジ８６と、キャリッジ８６をスライド可能に支持し、副走査方向Ｘに延びた左右一対のスライドレール（図示せず）とを備えている。図示は省略するが、テーブル移動機構８５は、さらに上記スライドレールの前方および後方に設けられた前後一対のプーリと、前後一対のプーリに巻き掛けられたベルトとを備えている。このベルトにキャリッジ８６が取り付けられ、前後一対のプーリの一方に接続された駆動モータが駆動して、ベルトが走行することで、テーブル８１は副走査方向Ｘに移動する。なお、詳しい説明は省略するが、テーブル８１は、上下方向に移動可能に構成されている。
【００２２】
次に、ケース２０について説明する。ケース２０内には、上述したガイドレール１５、インクヘッドユニット６０、テーブルユニット８０などが配置されている。本実施形態では、ケース２０とベース部２１によって囲まれた空間には、印刷空間２４Ａ、メンテナンス空間２４Ｂおよび収容空間２４Ｃが存在する。印刷空間２４Ａは、印刷が行われる空間であり、インクヘッド６６からインクが吐出される空間である。印刷空間２４Ａは、平面視において少なくともテーブル８１と重なる空間である。メンテナンス空間２４Ｂは、メンテナンスが実施される空間である。ここでは、メンテナンス空間２４Ｂは、印刷空間２４Ａの右方に位置している空間である。収容空間２４Ｃは、プリンタ１０を構成する部材の一部などが収容される空間であり、印刷空間２４Ａの左方に位置している。
【００２３】
ケース２０は、平面視において（言い換えると、図１の上方から見て）ベース部２１に支持されている。図１に示すように、ケース２０は、印刷空間２４Ａ（図２参照）および収容空間２４Ｃ（図２参照）を形成する第１ケース部２０Ａと、メンテナンス空間２４Ｂ（図２参照）を形成する第２ケース部２０Ｂとを備えている。
【００２４】
図３、図４、図５、図６は、それぞれプリンタ１０の正面図、左側面図、右側面図、背面図である。図７、図８は、それぞれプリンタ１０の斜視図である。本実施形態では、図３に示すように、第１ケース部２０Ａは、中央前フレーム２５Ａと、左前カバー２５Ｂと、を有している。中央前フレーム２５Ａは、ベース部２１の前端の中央部分から上方に向かって延びている。左前カバー２５Ｂは、中央前フレーム２５Ａの左方に配置されており、ベース部２１の前端の左部分から上方に向かって延びている。図８に示すように、左前カバー２５Ｂは、平面視において中央前フレーム２５Ａから左斜め後ろ向きに傾斜するように配置されている。本実施形態では、図３に示すように、左前カバー２５Ｂの後方であって、正面視において左前カバー２５Ｂと重なる位置には、開口２５Ｃａが形成された左前フレーム２５Ｃが配置されている。左前フレーム２５Ｃは、ベース部２１の前端の左部分から上方に向かって延びている。左前カバー２５Ｂは、左前フレーム２５Ｃの開口２５Ｃａを開閉可能に左前フレーム２５Ｃに取り付けられている。左前カバー２５Ｂは、左端を軸にして回転可能であり、左前カバー２５Ｂの前面の右部には、取っ手２５Ｅが設けられている。
【００２５】
図１に示すように、第１ケース部２０Ａは、中央上フレーム２７Ａと、左上フレーム２７Ｂと、後上フレーム２７Ｃと、後フレーム２８（図６参照）と、左フレーム２９（図４参照）とをさらに有している。中央上フレーム２７Ａは、中央前フレーム２５Ａよりも上方に配置されており、前斜め下向きに傾斜している。ここでは、中央上フレーム２７Ａと中央前フレーム２５Ａとの間には、開口３０が形成されている。左上フレーム２７Ｂは、中央上フレーム２７Ａの左方、および、開口３０の左方に配置されており、前斜め下向きに傾斜している。左上フレーム２７Ｂの上面の右部には、取っ手２７Ｂａが設けられている。
【００２６】
図９は、ケース２０および中央カバー４０の正面図であり、中央カバー４０が開いている状態を示す図である。本実施形態では、図９に示すように、左上フレーム２７Ｂと中央上フレーム２７Ａとの間、および左上フレーム２７Ｂと開口３０との間には、左サポートフレーム２７Ｄが設けられている。左サポートフレーム２７Ｄは、前斜め下方に向かって延びている。図７に示すように、後上フレーム２７Ｃは、中央上フレーム２７Ａの後端（言い換えると、上端）、および、左上フレーム２７Ｂの後端（言い換えると、上端）から後斜め下向きに傾斜している。
【００２７】
図６に示すように、後フレーム２８は、後上フレーム２７Ｃの後端に接続されており、後上フレーム２７Ｃの後端から下方に向かって延びている。言い換えると、後フレーム２８は、ベース部２１の後端の中央部分および左部から上方に向かって延びている。後フレーム２８は、１つの部材によって構成されていてもよいし、２つ以上の複数の部材によって構成されていてもよい。図４に示すように、左フレーム２９は、ベース部２１の左端から上方に向かって延びている。左フレーム２９は、左前フレーム２５Ｃ（図３参照）の左端、左上フレーム２７Ｂ（図１参照）の左端、後上フレーム２７Ｃ（図１参照）の左端、および、後フレーム２８（図６参照）の左端に接続されている。
【００２８】
本実施形態では、第１ケース部２０Ａを構成する部品、すなわち、中央前フレーム２５Ａと、左前カバー２５Ｂと、左前フレーム２５Ｃと、中央上フレーム２７Ａと、左上フレーム２７Ｂと、後上フレーム２７Ｃと、左サポートフレーム２７Ｄと、後フレーム２８と、左フレーム２９とは、金属によって形成されており、例えば板金によって構成されている。しかしながら、第１ケース部２０Ａを構成する部品の材料は特に限定されない。
【００２９】
第２ケース部２０Ｂは、上述のようにメンテナンス空間２４Ｂ（図２参照）を形成する部分である。図３に示すように、第２ケース部２０Ｂは、開口３１ａが形成された右前フレーム３１と、右前フレーム３１の開口３１ａを開閉自在に設けられた右前カバー３２とを備えている。右前フレーム３１は、中央前フレーム２５Ａの右端に接続されており、図１に示すように、平面視において中央前フレーム２５Ａの右端から右斜め後ろに向かって傾斜している。右前フレーム３１は、ベース部２１の前端の右部から上方に向かって延びている。右前カバー３２が閉じている状態において、右前カバー３２は、右前フレーム３１の前方に配置され、正面視において右前フレーム３１と重なる位置に配置されている。右前カバー３２は、右前フレーム３１の開口３１ａを開閉可能に右前フレーム３１に取り付けられている。ここでは、右前カバー３２は、右端を軸にして回転可能である。右前カバー３２の前面の左部には、取っ手３２ａが設けられている。
【００３０】
図７に示すように、第２ケース部２０Ｂは、右フレーム３３と、右サポートフレーム３４と、第１右上フレーム３５（図１参照）と、第２右上フレーム３６と、右後フレーム３７とを備えている。図５に示すように、右フレーム３３は、ベース部２１の右端から上方に向かって延びている。本実施形態では、右フレーム３３の形状は、五角形形状である。図８に示すように、右サポートフレーム３４は、右フレーム３３から所定の距離離れており、右フレーム３３と対向している。右サポートフレーム３４は、開口３０（図１参照）の右方、および、中央上フレーム２７Ａの右方に配置されており、前斜め下方に向かって延びている。右サポートフレーム３４の下端は、右前フレーム３１（図３参照）に接続されている。本実施形態では、右サポートフレーム３４の短手方向に沿った断面形状は、Ｌ字状である。
【００３１】
図１に示すように、第１右上フレーム３５は、中央上フレーム２７Ａの右方および右サポートフレーム３４（図８参照）の上部の右方に配置されており、前斜め下方に向かって傾斜するように配置されている。本実施形態では、図８に示すように、右前フレーム３１、右フレーム３３、右サポートフレーム３４、および、第２右上フレーム３６によって囲まれることで、開口３８が形成されている。第１右上フレーム３５は、開口３８の一部（言い換えると、平面視においてメンテナンス空間２４Ｂの一部）を覆うように、右フレーム３３と右サポートフレーム３４とに連結されている。ここでは、第１右上フレーム３５は、ネジ（図示せず）を介して右フレーム３３および右サポートフレーム３４に固定されている。
【００３２】
図１に示すように、第２右上フレーム３６は、第１右上フレーム３５の後端（言い換えると、上端）から後斜め下向きに傾斜している。図７に示すように、第２右上フレーム３６の左端は、後上フレーム２７Ｃの右端に接続されている。第２右上フレーム３６の右端は、右フレーム３３の上端に接続されている。
【００３３】
図７に示すように、右後フレーム３７は、第２右上フレーム３６の後端（言い換えると、上端）に接続されており、第２右上フレーム３６の後端から下方に向かって延びている。言い換えると、右後フレーム３７は、ベース部２１の後端の右部から上方に向かって延びている。右後フレーム３７は、後フレーム２８の右端、および、右フレーム３３の後端に接続されている。
【００３４】
本実施形態では、第２ケース部２０Ｂを構成する部品、すなわち、右前フレーム３１と、右前カバー３２と、右フレーム３３と、右サポートフレーム３４と、第１右上フレーム３５と、第２右上フレーム３６と、右後フレーム３７とは、金属によって形成されており、例えば板金によって構成されている。しかしながら、第２ケース部２０Ｂを構成する部品の材料は特に限定されない。
【００３５】
なお、本実施形態では、図８に示すように、右フレーム３３および右サポートフレーム３４には、操作パネル９０が連結されている。操作パネル９０は、作業者によって操作されるものである。ここでは、作業者が操作パネル９０を操作することで、印刷に関する設定、および、メンテナンス時の操作を行うことができる。操作パネル９０は、パネル本体９１と、パネル本体９１の上面に設けられた表示画面９２と、パネル本体９１の上面に設けられ、作業者が操作するボタンを有する操作部９３と、を備えている。操作パネル９０は、パネルカバー９５（図１参照）によって覆われている。パネルカバー９５の上面の左部には、取っ手９６（図１参照）が設けられている。
【００３６】
次に、中央カバー４０について説明する。図９に示すように、ケース２０には開口３０が形成されている。開口３０は、ケース２０の前部の中央部分に形成されている。ここでは、開口３０は、第１ケース部２０Ａの中央前フレーム２５Ａ、左前フレーム２５Ｃ（図３参照）、左サポートフレーム２７Ｄ、中央上フレーム２７Ａ、右サポートフレーム３４および右前フレーム３１（図３参照）によって囲まれた開口である。中央カバー４０は、ケース２０に設けられ、かつ、ケース２０の開口３０を開閉自在に構成されている。中央カバー４０は、本発明のカバーの一例である。
【００３７】
中央カバー４０の形状などは特に限定されない。以下の中央カバー４０に関する説明では、特に記載がない限り、中央カバー４０の状態は、開口３０を閉鎖している状態である。本実施形態では、図１に示すように、中央カバー４０は、中央上フレーム２７Ａの下端から前斜め下方に延びた矩形状の枠体４１と、枠体４１の下端から下方に延びた縦カバー４２とを有している。
【００３８】
枠体４１は、左サポートフレーム２７Ｄと、右サポートフレーム３４との間に配置されている。枠体４１には、窓部材４１ａが設けられている。窓部材４１ａは、透明または半透明な板状の部材である。窓部材４１ａを形成する材料の種類は特に限定されないが、例えば窓部材４１ａはアクリル板によって形成されている。作業者は、中央カバー４０が閉じている状態において、窓部材４１ａを通じてケース２０内の印刷空間２４Ａ（図２参照）を視認することができる。
【００３９】
図１０、図１１、図１２は、それぞれ中央カバー４０の左側面図であり、回転機構４５の周囲を示す図である。図１０、図１１、図１２では、それぞれ中央カバー４０が後述する閉位置Ｐ２３、第１開位置Ｐ２１、第２開位置Ｐ２２に配置された状態が示されている。図１０〜図１２に示すように、中央カバー４０は、ケース２０に対して回転可能である。ここでは、中央カバー４０は、中央カバー４０の上端（言い換えると、枠体４１の上端）を軸にして回転可能である。ここでは、プリンタ１０は、回転機構４５を備えており、この回転機構４５によって中央カバー４０は、ケース２０に対して回転する。
【００４０】
プリンタ１０は、回転軸４６と、一対の支持アーム４７Ｌ、４７Ｒ（図９参照）とを有している。本実施形態では、回転機構４５は、回転軸４６と一対の支持アーム４７Ｌ、４７Ｒとによって構成されている。回転軸４６は、ケース２０に対して中央カバー４０を回転させるものであり、中央カバー４０が回転する際の軸となるものである。回転軸４６は、中央カバー４０の枠体４１の上部に設けられている。回転軸４６は、主走査方向Ｙに延びている。詳しい図示は省略するが、回転軸４６の左右両端部は、ケース２０に接続されている。
【００４１】
図９に示すように、一対の支持アーム４７Ｌ、４７Ｒは、ケース２０に対して回転可能に構成された中央カバー４０を支持するものである。本実施形態では、一対の支持アーム４７Ｌ、４７Ｒによって、ケース２０と中央カバー４０とは繋がっている。左の支持アーム４７Ｌは、中央カバー４０の左端部分に設けられ、右の支持アーム４７Ｒは、中央カバー４０の右端部分に設けられている。なお、２つの支持アーム４７Ｌ、４７Ｒのうちの一方の支持アームは省略されてもよい。
【００４２】
本実施形態では、一対の支持アーム４７Ｌ、４７Ｒの構成は同じである。そのため、以下では、左の支持アーム４７Ｌについて説明し、右の支持アーム４７Ｒの説明は適宜省略する。図１２に示すように、支持アーム４７Ｌの一端は、中央カバー４０に接続され、支持アーム４７Ｌの他端は、ケース２０に接続されている。詳しくは、支持アーム４７Ｌの一端は、中央カバー４０の枠体４１に回転可能に接続されている。ここでは、支持アーム４７Ｌの一端は、枠体４１の開口３０（図９参照）側の面に設けられている。支持アーム４７Ｌの他端は、ケース２０の開口３０を形成する部位に回転可能に接続されている。ここでは、支持アーム４７Ｌの他端は、ケース２０の左サポートフレーム２７Ｄに設けられている。
【００４３】
支持アーム４７Ｌは、折り畳み可能に構成されている。本実施形態では、支持アーム４７Ｌは、スライドアーム部４８Ａと、第１アーム部４８Ｂと、第２アーム部４８Ｃとを有している。スライドアーム部４８Ａは、支持アーム４７Ｌの一端部を構成しており、中央カバー４０に対してスライド可能に設けられている。本実施形態では、中央カバー４０は、中央カバー４０におけるケース２０の開口３０側の面に形成されたブラケット４３を備えている。具体的に、ブラケット４３は、中央カバー４０の枠体４１の開口３０側の面の左上部に設けられている。このブラケット４３は、枠体４１の開口３０側の面の右上部にも設けられている。詳しい説明は後述するが、スライドアーム部４８Ａは、ブラケット４３に対してスライド可能である。
【００４４】
第１アーム部４８Ｂの一端は、スライドアーム部４８Ａに対して回転可能に接続されている。ここでは、第１アーム部４８Ｂの一端とスライドアーム部４８Ａとは、第１回転軸４９Ａによって連結されている。第１回転軸４９Ａは主走査方向Ｙに延びている。第１アーム部４８Ｂは、第１回転軸４９Ａを中心に回転可能である。
【００４５】
第２アーム部４８Ｃの一端は、第１アーム部４８Ｂの他端に対して回転可能に接続されている。ここでは、第２アーム部４８Ｃの一端と第１アーム部４８Ｂの他端とは、第２回転軸４９Ｂによって連結されている。第２回転軸４９Ｂは主走査方向Ｙに延びている。第２アーム部４８Ｃは、第２回転軸４９Ｂを中心に第１アーム部４８Ｂに対して回転可能である。第２アーム部４８Ｃの他端は、ケース２０に回転可能に接続されている。ここでは、第２アーム部４８Ｃの他端とケース２０の左サポートフレーム２７Ｄ（図９参照）とは、第３回転軸４９Ｃによって連結されている。第３回転軸４９Ｃは主走査方向Ｙに延びている。第２アーム部４８Ｃは、第３回転軸４９Ｃを中心にケース２０に対して回転可能である。
【００４６】
本実施形態では、側面視において、第１アーム部４８Ｂの幅は、スライドアーム部４８Ａに向かうにしたがって短くなっている。側面視において第１アーム部４８Ｂは、Ｌ字状である。側面視において、第１アーム部４８Ｂの幅は、第２アーム部４８Ｃの幅よりも短い。しかしながら、第１アーム部４８Ｂの幅は、第２アーム部４８Ｃの幅と同じであってもよいし、第２アーム部４８Ｃの幅よりも長くてもよい。ここで、幅とは、短手方向の長さであり、側面視においてその部材の軸と直交する方向の長さのことである。本実施形態では、第１アーム部４８Ｂの軸方向の長さは、第２アーム部４８Ｃの軸方向の長さよりも短い。しかしながら、第１アーム部４８Ｂの軸方向の長さは、第２アーム部４８Ｃの軸方向の長さと同じであってもよいし、第２アーム部４８Ｃの軸方向の長さよりも長くてもよい。
【００４７】
本実施形態では、プリンタ１０はスライド機構５０を備えており、スライド機構５０は、支持アーム４７Ｌ、４７Ｒを中央カバー４０に対してスライドさせる機構である。なお、スライド機構５０の構成は特に限定されない。図１３、図１４は、それぞれスライド機構５０の周囲を示す左側面断面図である。図１３、図１４は、それぞれ中央カバー４０が閉位置Ｐ２３、第２開位置Ｐ２２に配置された状態が示されている。本実施形態では、図１３、図１４に示すように、スライド機構５０は、第１スライド板５１と、第２スライド板５２と、第３スライド板５３とを有している。
【００４８】
第１スライド板５１は、本発明の「第１スライド部」の一例である。第１スライド板５１は、中央カバー４０に設けられている。本実施形態では、第１スライド板５１は、中央カバー４０の枠体４１のブラケット４３に設けられている。ここでは、図１２に示すように、第１スライド板５１は、枠体４１の表面に対して傾斜している。詳しくは、第１スライド板５１は、側面視において回転軸４６に接近するにしたがって枠体４１に近づくように傾斜している。
【００４９】
図１５、図１６は、それぞれ第１スライド板５１を裏側面（言い換えると、後述する第２スライド板５２側）から見た図である。図１５、図１６では、それぞれ中央カバー４０に対する支持アーム４７Ｌの一端の位置が後述する第１位置Ｐ１１、第２位置Ｐ１２に配置された状態が示されている。図１５および図１６において、符号Ｄ１は、中央カバー４０に対して支持アーム４７Ｌがスライドする方向であるスライド方向を示している。本実施形態では、図１５、図１６に示すように、第１スライド板５１には、長孔の係合孔５５が形成されている。係合孔５５は、スライド方向Ｄ１に沿って延びた孔である。言い換えると、係合孔５５は、第１スライド板５１の所定の位置から、回転軸４６（図１２参照）とは反対方向へ延びた長孔である。図１５では、第１スライド板５１の下方に回転軸４６が位置している。本実施形態では、係合孔５５の回転軸４６とは反対側の端の位置を第１位置Ｐ１１とし、係合孔５５内の回転軸４６側の端の位置を第２位置Ｐ１２とする。係合孔５５は、第１位置Ｐ１１から第２位置Ｐ１２に亘って第１スライド板５１に長孔状に形成されている。
【００５０】
図１３に示すように、第２スライド板５２は、支持アーム４７Ｌのスライドアーム部４８Ａに設けられている。第２スライド板５２は、中央カバー４０のブラケット４３に形成された第１スライド板５１と対向し、第１スライド板５１に対してスライド可能に構成されている。
【００５１】
第３スライド板５３は、第２スライド板５２と共に第１スライド板５１を挟むものである。第３スライド板５３は、第１スライド板５１および第２スライド板５２と対向している。本実施形態では、第２スライド板５２と第３スライド板５３とは、２つの係合ネジ５６Ａ、５６Ｂによって連結されている。
【００５２】
本実施形態では、第１スライド板５１、第２スライド板５２および第３スライド板５３は、金属製であり、板金である。しかしながら、第１スライド板５１、第２スライド板５２および第３スライド板５３を形成する材料は特に限定されない。
【００５３】
係合ネジ５６Ａ、５６Ｂは、第２スライド板５２から第３スライド板５３に向かって突出しており、係合ネジ５６Ａ、５６Ｂの頭部は、第２スライド板５２側に配置されている。２つの係合ネジ５６Ａ、５６Ｂは、図１５に示すように、第２スライド板５２のスライド方向Ｄ１（ここでは、第１位置Ｐ１１から第２位置Ｐ１２に向かう方向、および、第２位置Ｐ１２から第１位置Ｐ１１へ向かう方向）に並ぶように、第２スライド板５２に取り付けられている。なお、係合ネジ５６Ａ、５６Ｂの数は特に限定されず、１つであってもよいし、３つ以上であってもよい。
【００５４】
本実施形態では、係合ネジ５６Ａ、５６Ｂは、本発明の係合突起の一例である。係合ネジ５６Ａ、５６Ｂ（詳しくは、係合ネジ５６Ａ、５６Ｂの螺子部）は、第１スライド板５１に形成された係合孔５５に係合する。ここで、第１スライド板５１に対して第２スライド板５２および第３スライド板５３がスライドするとき、係合ネジ５６Ａ、５６Ｂは係合孔５５内を移動する。本実施形態では、図１３に示すように、係合孔５５の回転軸４６とは反対側の端（図１３では第１スライド板５１の左上に回転軸４６が配置されている）に係合ネジ５６Ｂが配置されたときの中央カバー４０に対する支持アーム４７Ｌの一端の位置が第１位置Ｐ１１である。また、図１４に示すように、係合孔５５の回転軸４６側の端（図１４では第１スライド板５１の上方に回転軸４６が配置されている）に係合ネジ５６Ｂが配置されたときの中央カバー４０に対する支持アーム４７Ｌの一端の位置が第２位置Ｐ１２である。スライド機構５０は、第１位置Ｐ１１と第２位置Ｐ１２との間で支持アーム４７Ｌを中央カバー４０に対してスライドさせるように構成されている。
【００５５】
本実施形態では、係合ネジ５６Ａ、５６Ｂの螺子部には、セルスペーサ５７が挿入されている。セルスペーサ５７の材料は特に限定されないが、例えばセルスペーサ５７は、炭素鋼によって形成されている。
【００５６】
本実施形態では、第１スライド板５１と第２スライド板５２との間には、一対の第１滑りシート５８Ａ、５８Ｂが設けられている。ここでは、第１滑りシート５８Ａは、第２スライド板５２の第１スライド板５１側の面に設けられている。第１滑りシート５８Ｂは、第１スライド板５１の第２スライド板５２側の面に設けられている。また、第１スライド板５１と第３スライド板５２との間には、一対の第２滑りシート５８Ｃ、５８Ｄが設けられている。ここでは、第２滑りシート５８Ｃは、第３スライド板５３の第１スライド板５１側の面に設けられている。第２滑りシート５８Ｄは、第１スライド板５１の第３スライド板５３側の面に設けられている。なお、第１滑りシート５８Ａ、５８Ｂおよび第２滑りシート５８Ｃ、５８Ｄの材料の種類は特に限定されない。例えば、第１滑りシート５８Ａ、５８Ｂおよび第２滑りシート５８Ｃ、５８Ｄは、樹脂によって形成されている。
【００５７】
図１７、図１８は、プリンタ１０の右側面図である。図１７は、中央カバー４０が第１開位置Ｐ２１に配置されている状態を示し、図１８は、中央カバー４０が第２開位置Ｐ２２に配置されている状態を示している。なお、図５の右側面図は、中央カバー４０が閉位置Ｐ２３に配置されている状態を示している。本実施形態では、図１７に示すように、ケース２０に対する中央カバー４０との開口角度が第１角度Ｒ１であるときの中央カバー４０の回転位置を第１開位置Ｐ２１という。また、図１８に示すように、ケース２０に対する中央カバー４０との開口角度が第１角度Ｒ１よりも大きい第２角度Ｒ２のときの中央カバー４０の回転位置を第２開位置Ｐ２２という。また、図５に示すように、中央カバー４０がケース２０の開口３０を閉鎖しているときの中央カバー４０の回転位置を閉位置という。ここで、「中央カバー４０がケース２０の開口３０を閉鎖している」には、中央カバー４０が開口３０を完全に閉鎖している状態はもちろんのこと、中央カバー４０の下端（ここでは、縦カバー４２の下端）と中央前フレーム２５Ａとの間にわずかな間隙（例えば作業者の指が入らない程度。概ね５ｍｍ〜２０ｍｍ。例えば１０ｍｍ）が形成されているものも含まれる。上記開口角度とは、側面視において、パネルカバーの上面と、中央カバー４０の枠体４１とが成す角度のことをいう。
【００５８】
本実施形態では、図１７および図１８に示すように、中央カバー４０は第１開位置Ｐ２１で姿勢を維持することが可能であり、かつ、第２開位置Ｐ２２で姿勢を維持することが可能である。図１０に示すように、例えば中央カバー４０が閉位置Ｐ２３に配置されているとき、支持アーム４７Ｌは、第１アーム部４８Ｂと第２アーム部４８Ｃとが折り畳まれた状態となる。このとき、図１３に示すように、支持アーム４７Ｌの一端、すなわち、スライドアーム部４８Ａは、第１位置Ｐ１１に配置されており、図１５に示すように、中央カバー４０の係合孔５５の回転軸４６とは反対側の端（図１５では上側の端）に、スライドアーム部４８Ａの係合ネジ５６Ｂが突き当てられた状態となる。
【００５９】
中央カバー４０が閉位置Ｐ２３から第１開位置Ｐ２１に移動する際、第１アーム部４８Ｂと第２アーム部４８Ｃとは、第２回転軸４９Ｂを軸にして相互が回転し、図１１に示すように、第１アーム部４８Ｂと第２アーム部４８Ｃとは折り畳まれた状態から開いた状態へと徐々に位置が変化する。このとき、中央カバー４０に対する支持アーム４７Ｌのスライドアーム部４８Ａの位置は変わらず、第１位置Ｐ１１の状態が維持される。すなわち、中央カバー４０が閉位置Ｐ２３から第１開位置Ｐ２１に移動する際、支持アーム４７Ｌのスライドアーム部４８Ａは、中央カバー４０に対してスライドしない。
【００６０】
なお、中央カバー４０が第１開位置Ｐ２１に配置されているとき、第２開位置Ｐ２２側に向かう力のモーメントと、閉位置Ｐ２３側に向かう力のモーメントが釣り合った状態となる。そのため、中央カバー４０は、第１開位置Ｐ２１の位置で姿勢を維持することができる。なお、中央カバー４０は、中央カバー４０が第１開位置Ｐ２１の位置で姿勢を維持させるためのロック機構を有していてもよい。
【００６１】
次に、中央カバー４０に対して第２開位置Ｐ２２側に向かって力をかけることで、中央カバー４０は、第１開位置Ｐ２１から第２開位置Ｐ２２に向かってスライド方向Ｄ１（図１５参照）に移動する。本実施形態では、スライド機構５０は、中央カバー４０が第１開位置Ｐ２１と第２開位置Ｐ２２との間を移動するときに、支持アーム４７Ｌ、４７Ｒを中央カバー４０に対してスライドさせるように構成されている。中央カバー４０が第１開位置Ｐ２１から第２開位置Ｐ２２に移動する際、図１５および図１６に示すように、中央カバー４０に対する支持アーム４７Ｌのスライドアーム部４８Ａの位置が第１位置Ｐ１１から第２位置Ｐ１２へと移動する。すなわち、中央カバー４０が第１開位置Ｐ２１から第２開位置Ｐ２２に移動する際、第１スライド板５１に対して、第２スライド板５２および第３スライド板５３が下方にスライドするため、中央カバー４０に対してスライドアーム部４８Ａが下方にスライドする。このとき、第１スライド板５１に形成された係合孔５５内を、係合ネジ５６Ａ、５６Ｂが下方に向かって移動する。そして、図１６に示すように、係合孔５５の回転軸４６側の端（図１６では下側の端）に係合ネジ５６Ａが突き当てられたとき、スライドアーム部４８Ａは第２位置Ｐ１２に配置される。このように、中央カバー４０に対してスライドアーム部４８Ａが下方にスライドすることで、図１２に示すように、第１アーム部４８Ｂと第２アーム部４８Ｃとが更に開いた状態になる。このとき、開口角度が徐々に大きくなり、中央カバー４０が第２開位置Ｐ２２に配置された状態となる。
【００６２】
以上、本実施形態では、回転機構４５によってケース２０に対して中央カバー４０を回転させることで、図１７に示すように、第１開位置Ｐ２１に中央カバー４０を配置することができる。そして、第１開位置Ｐ２１において中央カバー４０が支持されている状態で、スライド機構５０によって支持アーム４７Ｌ、４７Ｒを中央カバー４０に対してスライドさせることで中央カバー４０が後方に移動するため、図１８に示すようにケース２０に対する中央カバー４０の開口角度が大きくなり、第２開位置Ｐ２２に中央カバー４０を配置することができる。このように、本実施形態では、第１開位置Ｐ２１と第２開位置Ｐ２２との２つの回転位置で中央カバー４０を開けた状態で姿勢を維持することができる。よって、作業者の作業内容に応じて、ケース２０に対する中央カバー４０の開口角度を２段階で設定することができる。
【００６３】
本実施形態では、図１７に示すように、中央カバー４０の回転位置が第１開位置Ｐ２１のとき、プリンタ１０の設置面に対する中央カバー４０の開口角度が９０度以下となり、中央カバー４０が前傾姿勢となる。そのため、第１開位置Ｐ２１は、中央カバー４０の開口角度をそれ程大きくしないで行うことが可能な作業をするときに有効である。一方、図１８に示すように、中央カバー４０の回転位置が第２開位置Ｐ２２のとき、プリンタ１０の設置面に対する中央カバー４０の開口角度が９０度より大きくなり、中央カバー４０は、中央カバー４０の自重によって後方に倒れこむ。よって、第２開位置Ｐ２２では、中央カバー４０の姿勢を安定させることができる。そのため、第２開位置Ｐ２２は、中央カバー４０の開口角度を大きくし、作業者の視界を確保するような作業をするときに有効である。
【００６４】
本実施形態では、図１２に示すように、支持アーム４７Ｌ、４７Ｒは、中央カバー４０のブラケット４３にスライド可能なスライドアーム部４８Ａと、一端がスライドアーム部４８Ａに対して回転可能に接続された第１アーム部４８Ｂと、一端が第１アーム部４８Ｂの他端に対して回転可能に接続され、他端が中央カバー４０に回転可能に接続された第２アーム部４８Ｃと、をそれぞれ有している。よって、中央カバー４０が閉位置Ｐ２３から第１開位置Ｐ２１、および、第１開位置Ｐ２１から第２開位置Ｐ２２に位置が変更される際、スライドアーム部４８Ａ、第１アーム部４８Ｂおよび第２アーム部４８Ｃの相対的な位置を変更させることでスムーズに中央カバー４０を開けることができる。また、図１０に示すように、中央カバー４０が閉位置Ｐ２３のとき、第１アーム部４８Ｂを中心にして支持アーム４７Ｌ、４７Ｒが回動するため、支持アーム４７Ｌ、４７Ｒを折り畳むことができる。よって、コンパクト化を図ることができる。
【００６５】
本実施形態では、スライド機構５０は、図１３に示すように、第１スライド板５１と、第２スライド板５２と、係合ネジ５６Ａ、５６Ｂとを有している。図１５に示すように、第１スライド板５１には、スライド方向Ｄ１に延びた係合孔５５が形成され、第１スライド板５１は中央カバー４０のブラケット４３に設けられている。図１３に示すように、第２スライド板５２は、スライドアーム部４８Ａに設けられ、第１スライド板５１に対してスライド可能である。係合ネジ５６Ａ、５６Ｂは、第２スライド板５２から第１スライド板５１に向かって突出し、係合孔５５に係合可能である。このように、係合ネジ５６Ａ、５６Ｂを係合孔５５に係合させることで、係合孔５５は、第１スライド板５１に対する第２スライド板５２のスライドのガイドの役割を担う。よって、第１スライド板５１に対して第２スライド板５２を第１位置Ｐ１１から第２位置Ｐ１２、および、第２位置Ｐ１２から第１位置Ｐ１１にスムーズにスライドさせることができる。
【００６６】
本実施形態では、係合ネジ５６Ａ、５６Ｂは、複数（ここでは２つ）設けられている。このことによって、第１スライド板５１に対して第２スライド板５２がズレ難くなり、第１スライド板５１に対して第２スライド板５２を第１位置Ｐ１１から第２位置Ｐ１２、および、第２位置Ｐ１２から第１位置Ｐ１１によりスムーズにスライドさせることができる。
【００６７】
本実施形態では、本発明の係合突起は、係合ネジ５６Ａ、５６Ｂによって実現されている。このことによって、複雑な鋳型を作製することなく、第２スライド板５２に係合ネジ５６Ａ、５６Ｂを挿入するという簡単な手順で、スライド機構５０を実現することができる。
【００６８】
本実施形態では、スライド機構５０は、図１３に示すように、係合ネジ５６Ａ、５６Ｂが挿入されるセルスペーサ５７を有している。このことによって、第１スライド板５１に対して第２スライド板５２がスライドするとき、係合孔５５の周囲の端は、セルスペーサ５７に適宜接触しながら第２スライド板５２はスライドされる。係合孔５５の周囲の端とセルスペーサ５７が接触することで、係合孔５５と係合ネジ５６Ａ、５６Ｂとの間の抵抗を安定的に低減することができる。したがって、第１スライド板５１に対して第２スライド板５２を第１位置Ｐ１１から第２位置Ｐ１２、および、第２位置Ｐ１２から第１位置Ｐ１１によりスムーズにスライドさせることができる。
【００６９】
本実施形態では、第２スライド板５２における第１スライド板５１の部分には、第１滑りシート５８Ａが設けられている。第１スライド板５１における第２スライド板５２側の部分には、第１滑りシート５８Ｂが設けられている。第１滑りシート５８Ａ、５８Ｂは、樹脂によって形成されている。仮に、第１滑りシート５８Ａ、５８Ｂが省略されている場合、金属製の第１スライド板５１と、金属製の第２スライド板５２とが接触しながら相対的にスライドする。このとき、第１スライド板５１と第２スライド板５２との間から磨耗粉が発生することがあり得る。このような磨耗粉がテーブル８１に載置された記録媒体５に付着した場合、この磨耗粉に起因して印刷の品質が低下するおそれがある。しかしながら、本実施形態では、第１スライド板５１に対して第２スライド板５２がスライドする際、第１滑りシート５８Ａ、５８Ｂが接触するため、上記のような磨耗粉は発生しない。よって、磨耗粉の発生に起因して印刷の品質が低下することを防止することができる。
【００７０】
本実施形態では、スライド機構５０は、第２スライド板５２と共に第１スライド板５１を挟むように第２スライド板５２と対向し、係合ネジ５６Ａ、５６Ｂが連結する第３スライド板５３を有している。このことによって、第２スライド板５２が第１スライド板５１に対して浮き難くすることができる。よって、第１スライド板５１に対して第２スライド板５２を第１位置Ｐ１１から第２位置Ｐ１２、および、第２位置Ｐ１２から第１位置Ｐ１１によりスムーズにスライドさせることができる。
【００７１】
本実施形態では、第３スライド板５３における第１スライド板５１の部分には、第２滑りシート５８Ｃが設けられている。第１スライド板５１における第３スライド板５３側の部分には、第２滑りシート５８Ｄが設けられている。第２滑りシート５８Ｃ、５８Ｄは、樹脂によって形成されている。仮に、第２滑りシート５８Ｃ、５８Ｄが省略されている場合、金属製の第１スライド板５１と、金属製の第３スライド板５３とが接触しながら相対的にスライドする。このとき、第１スライド板５１と第３スライド板５３との間から磨耗粉が発生することがあり得る。このような磨耗粉がテーブル８１に載置された記録媒体５に付着した場合、この磨耗粉に起因して印刷の品質が低下するおそれがある。しかしながら、本実施形態では、第１スライド板５１に対して第３スライド板５３がスライドする際、第２滑りシート５８Ｃ、５８Ｄが接触するため、上記のような磨耗粉は発生しない。よって、磨耗粉の発生に起因して印刷の品質が低下することを防止することができる。
【００７２】
以上、一実施形態に係るプリンタ１０について説明した。上記実施形態では、係合ネジ５６Ａ、５６Ｂが本発明の係合突起であった。しかしながら、係合突起は、係合ネジ５６Ａ、５６Ｂに限定されない。例えば、係合突起は、第２スライド板５２と一体成形された部位であってもよい。
【００７３】
上記実施形態では、支持アーム４７Ｌ、４７Ｒは、スライドアーム部４８Ａ、第１アーム部４８Ｂおよび第２アーム部４８Ｃによってそれぞれ構成されていた。しかしながら、支持アーム４７Ｌ、４７Ｒを構成する部材数は３つに限定されず、４つ以上の部材によって構成されていてもよい。
【符号の説明】
【００７４】
１０  プリンタ
２０  ケース
３０  開口
４０  中央カバー（カバー）
４３  ブラケット
４５  回転機構
４６  回転軸
４７Ｌ、４７Ｒ  支持アーム
４８Ａ  スライドアーム部
４８Ｂ  第１アーム部
４８Ｃ  第２アーム部
５０  スライド機構
【図１】
2020151997.tif 000003
【図２】
2020151997.tif 000004
【図３】
2020151997.tif 000005
【図４】
2020151997.tif 000006
【図５】
2020151997.tif 000007
【図６】
2020151997.tif 000008
【図７】
2020151997.tif 000009
【図８】
2020151997.tif 000010
【図９】
2020151997.tif 000011
【図１０】
2020151997.tif 000012
【図１１】
2020151997.tif 000013
【図１２】
2020151997.tif 000014
【図１３】
2020151997.tif 000015
【図１４】
2020151997.tif 000016
【図１５】
2020151997.tif 000017
【図１６】
2020151997.tif 000018
【図１７】
2020151997.tif 000019
【図１８】
2020151997.tif 000020